(57)【要約】【課題】治療中の患者をリラックスさせることが可能な歯科治療椅子を提供する。【解決手段】コンターシート７と、コンターシート７に対して起倒可能なバックレスト６と、バックレスト６の一端に設けられて患者の頭頸部を支持するヘッドレスト５と、を備えた歯科治療椅子１である。ヘッドレスト５が、患者の頸部の後ろ側に対応する位置にヒータ装置（面状ヒータ２２で例示）を有する。好ましくは、ヒータ装置は、可撓性を有した面状ヒータ２２である。【選択図】図２
2020069261.tif 000002
【特許請求の範囲】
【請求項１】
コンターシートと、該コンターシートに対して起倒可能なバックレストと、該バックレストの一端に設けられて患者の頭頸部を支持するヘッドレストと、を備えた歯科治療椅子であって、
前記ヘッドレストが、前記患者の頸部の後ろ側に対応する位置にヒータ装置を有することを特徴とする歯科治療椅子。
【請求項２】
前記ヒータ装置は、可撓性を有した面状ヒータであることを特徴とする請求項１に記載の歯科治療椅子。
【請求項３】
前記ヘッドレストは、前記頭頸部の中央位置を支持するとともに、前記ヒータ装置が設けられた正面部材と、該正面部材の裏側に位置する背面部と、該背面部の左右両側にそれぞれ配置され、前記頭頸部の側方位置に対向可能な側方部と、該側方部と前記背面部との境界位置に設けられた自閉式スプリングヒンジと、前記正面部材、前記背面部、前記側方部で囲まれた空間に収納され、前記自閉式スプリングヒンジの付勢力に対抗する反発力を有したクッション部材と、を備えることを特徴とする請求項１または２に記載の歯科治療椅子。
【発明の詳細な説明】
【技術分野】
【０００１】
本発明は、歯科治療椅子に関し、詳細には、コンターシートと、コンターシートに対して起倒可能なバックレストと、バックレストの一端に設けられて患者の頭頸部を支持するヘッドレストと、を備えた歯科治療椅子に関する。
【背景技術】
【０００２】
歯科治療椅子は、バックレストの一端にヘッドレスト（安頭台ともいう）を有し、安定した口腔位置を確保するために、治療中の患者の頭頸部を支えている。
また、歯科治療椅子は、術者が患者を治療し易い姿勢にするために、起倒や上下動可能に構成されており、患者を起状態の姿勢から寝状態の姿勢に変更することができる。例えば、特許文献１には、寝状態の姿勢の頭頸部を支持するヘッドレストを有した歯科治療椅子の構造が開示されている。
【先行技術文献】
【特許文献】
【０００３】
【特許文献１】特開２００９−２２６１７５号公報
【発明の概要】
【発明が解決しようとする課題】
【０００４】
しかしながら、治療中の患者は緊張状態にあり、例えば下顎の内面にある筋肉が過度に緊張すると、開口していることが苦痛になる。また、この場合、口が次第に閉じてしまう。このため、治療中の患者をリラックスさせることが望まれる。
【０００５】
本発明は、上述のような実情に鑑みてなされたもので、治療中の患者をリラックスさせることが可能な歯科治療椅子を提供することを目的とする。
【課題を解決するための手段】
【０００６】
上記課題を解決するために、請求項１の発明は、コンターシートと、該コンターシートに対して起倒可能なバックレストと、該バックレストの一端に設けられて患者の頭頸部を支持するヘッドレストと、を備えた歯科治療椅子であって、前記ヘッドレストが、前記患者の頸部の後ろ側に対応する位置にヒータ装置を有することを特徴としている。
【０００７】
請求項２の発明は、請求項１の発明において、前記ヒータ装置は、可撓性を有した面状ヒータであることを特徴としている。
【０００８】
請求項３の発明は、請求項１または２の発明において、前記ヘッドレストは、前記頭頸部の中央位置を支持するとともに、前記ヒータ装置が設けられた正面部材と、該正面部材の裏側に位置する背面部と、該背面部の左右両側にそれぞれ配置され、前記頭頸部の側方位置に対向可能な側方部と、該側方部と前記背面部との境界位置に設けられた自閉式スプリングヒンジと、前記正面部材、前記背面部、前記側方部で囲まれた空間に収納され、前記自閉式スプリングヒンジの付勢力に対抗する反発力を有したクッション部材と、を備えることを特徴としている。
【発明の効果】
【０００９】
本発明によれば、ヒータ装置が患者の頸部の後ろ側を加温することにより、後述する脳幹ゾーンに温熱刺激が与えられるので、筋肉の緊張を和らげることができる。よって、治療中の患者をリラックスさせることができる。また、筋肉の緊張が和らげられると、口が開きやすくなり、口を開け続けても苦痛やストレスが感じにくくなる。このため、口を開けた状態を容易に維持でき、治療をスムーズに進めることができる。
【図面の簡単な説明】
【００１０】
【図１】本発明の一実施形態の歯科治療椅子を搭載した歯科治療ユニットを説明する斜視図である。
【図２】ヘッドレストの正面図である。
【図３】ヘッドレストの断面図である。
【図４】ヘッドレストの使用状態を説明する図である。
【図５】第２実施形態のヘッドレストの断面図である。
【図６】第３実施形態のヘッドレストを説明する図である。
【発明を実施するための形態】
【００１１】
以下、図面を参照しながら本発明の歯科治療椅子について説明する。図１は、本発明の一実施形態の歯科治療椅子を搭載した歯科治療ユニットを説明する斜視図である。
図１に示すように、歯科治療ユニットは歯科治療椅子１を有し、歯科治療椅子１の側方には、歯科用スピットン２が配置されている。なお、図示は省略するが、歯科治療ユニットは、歯科治療椅子１の周辺に、無影灯や、種々の歯科用インスツルメントがホルダを保持するワークテーブル、フットスイッチ等を備えている。
【００１２】
歯科治療椅子１は、昇降部４によって上下動や傾斜動が可能に構成されている。昇降部４は、基台３上に例えば回転可能に設置され、コンターシート７の下側に連結されている。
コンターシート７の後方には、バックレスト６やヘッドレスト（安頭台）５が設けられている。バックレスト６の側方には、アームレスト８が設けられる。コンターシート７の前方には、レッグレスト９が設けられている。
【００１３】
レッグレスト９の前方には、ステップ１０が設けられており、患者は、ステップ１０の上に乗った後、コンターシート７に腰掛けることができる。
コンターシート７は基台３に対して上下方向に昇降でき、バックレスト６はコンターシート７に対して起倒可能に構成され、レッグレスト９はコンターシート７に対して傾動可能に構成されている。
【００１４】
（第１実施形態）
図２は、ヘッドレストの正面図、図３は、図２のIII-III線矢視断面図であり、図４は、ヘッドレストの使用状態を説明する図である。
図２に示すように、ヘッドレスト５は、支柱２０を介してバックレスト６に設置されており、バックレスト６に対して例えば手動で昇降できる。
【００１５】
また、ヘッドレスト５は、患者の頭頸部の中央位置を支持する正面部材２１を有する。正面部材２１の下部２１ａは、患者の頸部の後ろ側に対応する位置が上方に向けて窪んでおり、この位置に面状ヒータ２２が設けられている。なお、面状ヒータ２２が本発明のヒータ装置に相当する。また、本発明の「頸部の後ろ側」とは、後頭部と頸部との境界付近が該当し、具体的には、髪の生え際付近であり、右耳の後ろから左耳の後ろに亘る領域（脳幹ゾーンともいう）である。
【００１６】
より具体的には、ヘッドレスト５は、図３に示すように、正面部材２１と、正面部材２１の後方をカバーするフレーム２３で構成され、フレーム２３は、正面部材２１の裏側に位置する背面部２４と、背面部２４の左右両側にそれぞれ配置されて、頭頸部の側方位置に対向可能な側方部２５と、を有する。支柱２０はフレーム２３の背面に固定されるが、フレーム２３の背面を回動自在に支持することもできる。
【００１７】
正面部材２１は、例えば、柔軟な合皮（布でもよい）で形成され、その左右両端が側方部２５の先端に固定されている。正面部材２１の裏側は例えばメッシュ生地で覆われており、正面部材２１の下部２１ａの位置では、合皮とメッシュ生地との間に、面状ヒータ２２が配置される。
面状ヒータ２２は、例えば、発熱体（ニクロム線あるいはニクロム箔）がシリコン製のシート部材で狭持されており、薄く形成されて可撓性や柔軟性を有する。このように面状ヒータ２２を用いれば、ヘッドレスト５に容易に搭載することができる。
【００１８】
そして、患者がコンターシート７に腰掛けて、頭頸部をヘッドレスト５に乗せると、正面部材２１が背面部２４に向けて撓み、正面部材２１で頭頸部を包むようになり、面状ヒータ２２が患者の頸部の後ろ側を加温する。これにより、脳幹ゾーンに温熱刺激が与えられるので、筋肉の緊張を和らげることができる。よって、治療中の患者をリラックスさせることができる。
【００１９】
また、筋肉の緊張が和らげられると、図４に示すように、口が開きやすくなり、口を開け続けても苦痛やストレスが感じにくくなる。このため、口を開けた状態を容易に維持でき、治療をスムーズに進めることができる。
さらに、正面部材２１が患者の頸部で押されて撓むので、面状ヒータ２２を脳幹ゾーンにフィットさせることができる。
【００２０】
（第２実施形態）
図５は、第２実施形態のヘッドレストの断面図である。上記の第１実施形態のフレーム２３は湾曲形状の一体型構造であったが、分割型の構造にしてもよい。
詳しくは、図５（Ａ）に示した正面部材２１には、第１実施形態と同様に、面状ヒータ２２が配置され、フレーム２３は、背面部２４と側方部２５とを有しているが、背面部２４と側方部２５とは別体で構成されている。
【００２１】
また、背面部２４と側方部２５との境界位置には、自閉式スプリングヒンジ３１が設けられている。自閉式スプリングヒンジ３１は、側方部２５の先端を正面部材２１の中央位置に近づけるように付勢している。
さらに、図５（Ａ）に示すように、正面部材２１、背面部２４、側方部２５で囲まれた空間には、例えばウレタン製のクッション部材３０が収納されている。クッション部材３０は、自閉式スプリングヒンジ３１の付勢力に対抗できる反発力を有している。
【００２２】
これにより、図５（Ａ）に示すように、正面部材２１が頭頸部の荷重を受けるまでは、側方部２５が、クッション部材３０の反発力によって、正面部材２１の中央位置から離れる方向（外側）に向けて開いている。
そして、正面部材２１が頭頸部の荷重を受けた際に、正面部材２１が後方に向けて変形して側方部２５の先端が引っ張られて、自閉式スプリングヒンジ３１の付勢力がクッション部材３０の反発力に打ち勝つので、図５（Ｂ）に示すように、側方部２５が、正面部材２１の中央位置に近づく方向（内側）に向けて閉じる。
【００２３】
このように、ヘッドレスト５を患者の頸部で押されて閉じるように構成すれば、面状ヒータ２２を脳幹ゾーンにより一層フィットさせることができる。
なお、図５では、ヘッドレスト５を患者の頸部で押されて閉じるように構成した例を説明した。しかし、本発明はこの例に限定されない。例えば、反発力の小さなクッション部材３０を収納しておき、正面部材２１が頭頸部の荷重を受けるまでは、側方部２５が、自閉式スプリングヒンジ３１の付勢力によって、正面部材２１の中央位置に近づく方向（内側）に向けて閉じている。そして、正面部材２１が頭頸部の荷重を受けた際に、側方部２５が、自閉式スプリングヒンジ３１の付勢力に抗して、正面部材２１の中央位置から離れる方向（外側）に向けて開くようにしてもよい。
【００２４】
（第３実施形態）
図６は、第３実施形態のヘッドレストを説明する図である。
上記第１，２実施形態では、パットが１つの例を挙げて説明したが、本発明は、ダブルパットタイプのヘッドレスト５であってもよい。
具体的には、図６に示すように、正面視円形に形成された一対のパット４２を有し、上述のような面状ヒータがそれぞれ内蔵されている。
【００２５】
パット４２の背面はパット支持部４１に支持され、パット４２が右耳の後ろや左耳の後ろを押せるように、所定の間隔だけ離して配置されている。パット支持部４１は回動腕部４０に回動自在に設けられ、回動腕部４０も支柱２０に回動自在に設けられている。この場合にも、脳幹ゾーンに温熱刺激を与えて筋肉の緊張を和らげることができる。
【符号の説明】
【００２６】
１…歯科治療椅子、２…歯科用スピットン、３…基台、４…昇降部、５…ヘッドレスト、６…バックレスト、７…コンターシート、８…アームレスト、９…レッグレスト、１０…ステップ、２０…支柱、２１…正面部材、２１ａ…下部、２２…面状ヒータ、２３…フレーム、２４…背面部、２５…側方部、３０…クッション部材、３１…自閉式スプリングヒンジ、４０…回動腕部、４１…パット支持部、４２…パット。
【図１】
2020069261.tif 000003
【図２】
2020069261.tif 000004
【図３】
2020069261.tif 000005
【図４】
2020069261.tif 000006
【図５】
2020069261.tif 000007
【図６】
2020069261.tif 000008